(57)【特許請求の範囲】
【請求項１】
複数の端末装置と無線通信を行う基地局装置と、複数の前記端末装置とを具備する無線通信システムであって、
前記端末装置における希望波又は干渉波の受信状況に基づいて複数の前記端末装置をグループに分けるグルーピング決定部と、
前記グループごとに、前記端末装置が受信した受信信号において信号成分を抑圧する周波数帯域を示すフィルタ設定であって該グループに属する前記端末装置ごとに異なる第１のフィルタ設定を割り当てるフィルタ設定割当部と
を具備し、
前記端末装置は、少なくとも、
自装置に割り当てられた第１のフィルタ設定を用いてフィルタリングを施した受信信号から復号された受信データに基づいて通信品質を測定する品質測定部を備え、
前記基地局装置は、少なくとも、
前記グループごとに、前記端末装置それぞれにおいて測定された通信品質に基づいて、該グループに属する前記端末装置において用いる第２のフィルタ設定を決定するフィルタ設定決定部を備え、
前記グルーピング決定部は、全ての前記端末装置において同じフィルタ設定を用いてフィルタリングを施した受信信号から復号された受信データに対する通信品質に基づいて、前記端末装置をグループに分ける
ことを特徴とする無線通信システム。
【請求項２】
複数の端末装置と無線通信を行う基地局装置と、複数の前記端末装置とを具備する無線通信システムであって、
前記端末装置における希望波又は干渉波の受信状況に基づいて複数の前記端末装置をグループに分けるグルーピング決定部と、
前記グループごとに、前記端末装置が受信した受信信号において信号成分を抑圧する周波数帯域を示すフィルタ設定であって該グループに属する前記端末装置ごとに異なる第１のフィルタ設定を割り当てるフィルタ設定割当部と
を具備し、
前記端末装置は、少なくとも、
自装置に割り当てられた第１のフィルタ設定を用いてフィルタリングを施した受信信号から復号された受信データに基づいて通信品質を測定する品質測定部を備え、
前記基地局装置は、少なくとも、
前記グループごとに、前記端末装置それぞれにおいて測定された通信品質に基づいて、該グループに属する前記端末装置において用いる第２のフィルタ設定を決定するフィルタ設定決定部を備え、
前記グルーピング決定部は、前記端末装置から所定の送信電力で送信された干渉波の検出を希望することを示す信号に返信して通信が当該端末装置と確立した他の前記端末装置と、前記信号を送信した端末装置とを同一のグループにする
ことを特徴とする無線通信システム。
【請求項３】
複数の端末装置と無線通信を行う基地局装置と、複数の前記端末装置とを具備する無線通信システムにおける無線通信方法であって、
前記端末装置における希望波又は干渉波の受信状況に基づいて複数の前記端末装置をグループに分けるグルーピング決定ステップと、
前記グループごとに、前記端末装置が受信した受信信号において信号成分を抑圧する周波数帯域を示すフィルタ設定であって該グループに属する前記端末装置ごとに異なる第１のフィルタ設定を割り当てるフィルタ設定割当ステップと、
前記端末装置が、自装置に割り当てられた第１のフィルタ設定を用いてフィルタリングを施した受信信号から復号された受信データに基づいて通信品質を測定する品質測定ステップと、
前記グループごとに、前記端末装置それぞれにおいて測定された通信品質に基づいて、該グループに属する前記端末装置において用いる第２のフィルタ設定を決定するフィルタ設定決定ステップと
を有し、
前記グルーピング決定ステップでは、全ての前記端末装置において同じフィルタ設定を用いてフィルタリングを施した受信信号から復号された受信データに対する通信品質に基づいて、前記端末装置をグループに分ける
ことを特徴とする無線通信方法。
【請求項４】
複数の端末装置と無線通信を行う基地局装置と、複数の前記端末装置とを具備する無線通信システムにおける無線通信方法であって、
前記端末装置における希望波又は干渉波の受信状況に基づいて複数の前記端末装置をグループに分けるグルーピング決定ステップと、
前記グループごとに、前記端末装置が受信した受信信号において信号成分を抑圧する周波数帯域を示すフィルタ設定であって該グループに属する前記端末装置ごとに異なる第１のフィルタ設定を割り当てるフィルタ設定割当ステップと、
前記端末装置が、自装置に割り当てられた第１のフィルタ設定を用いてフィルタリングを施した受信信号から復号された受信データに基づいて通信品質を測定する品質測定ステップと、
前記グループごとに、前記端末装置それぞれにおいて測定された通信品質に基づいて、該グループに属する前記端末装置において用いる第２のフィルタ設定を決定するフィルタ設定決定ステップと
を有し、
前記グルーピング決定ステップは、前記端末装置から所定の送信電力で送信された干渉波の検出を希望することを示す信号に返信して通信が当該端末装置と確立した他の前記端末装置と、前記信号を送信した端末装置とを同一のグループにする
ことを特徴とする無線通信方法。
【発明の詳細な説明】
【技術分野】
【０００１】
本発明は、無線通信システム、及び無線通信方法に関する。
【背景技術】
【０００２】
近年、各種無線通信システムの普及により周波数資源の枯渇が問題となっており、複数の無線信号による周波数共用化を図ることで周波数利用効率を向上させる重畳伝送技術の検討が進められている。
【０００３】
図７は、周波数帯域を共用する無線通信システムを組み合わせる一例を示す概念図である。同図において、周波数チャネルが異なる２つの無線ＬＡＮ（Local Area Network）システム全体を示している。同図に示す無線通信システムは、無線ＬＡＮ基地局９１ａ、９１ｂと、端末装置９２ａとを具備している。無線ＬＡＮ基地局９１ａは、中心周波数ｆａであるチャネルＣＨ１の周波数帯域を用いて通信する。無線ＬＡＮ基地局９１ｂは、中心周波数ｆｂ（ｆａ＜ｆｂ）であるチャネルＣＨ５の周波数帯域を用いて通信する。
端末装置９２ａは、無線ＬＡＮ基地局９１ａ、９１ｂの双方の無線信号が到達する位置に配置され、中心周波数ｆａの無線信号と中心周波数ｆｂの無線信号とが互いに部分的に干渉した信号を受信する。
【０００４】
また、周波数帯域を互いに共用する他の例として、無線ＬＡＮシステムとＢｌｕｅｔｏｏｔｈ（登録商標）と、ＷｉＭＡＸ（登録商標）との組み合わせなどがあり、異なる無線方式のシステム同士が周波数を共用する場合もある。
このように、例えば、無線ＬＡＮ基地局９１ａを通信対象とする場合、中心周波数ｆａである希望波の送信周波数帯域と、中心周波数ｆｂである無線ＬＡＮ基地局９１ｂからの干渉波の送信周波数帯域とが、部分的にオーバーラップ（干渉）する。このような周波数共用が他の無線通信において、端末装置９２ａは、誤り訂正などを効率的に行って周波数利用効率を向上させるために、希望波の送信周波数帯域にオーバーラップする干渉波の存在を正確に検出することが必要となる。
【０００５】
一般に干渉波が存在する場合、通信特性が著しく劣化するが、この干渉の影響を抑圧しながら分散配置されたＦＥＣ（Forward Error Correction：前方誤り訂正）ブロックを復号し、正確な伝送を実現する技術が検討されている（非特許文献１）。具体的には、希望波の復調をする前に、受信信号のうち干渉波の存在する周波数成分をＲＦ（Radio Frequency：無線周波数帯）段やＩＦ（Intermediate Frequency：中間周波数帯）段においてフィルタリング処理、あるいはベースバンド帯において当該周波数成分に対する重み付けを施すことで干渉波の影響を抑圧して復調、復号することを特徴としている。
【０００６】
また、干渉波の存在する周波数帯域を検出する技術も検討されている（非特許文献２）。具体的には、非特許文献１に記載されている技術において、フィルタリング帯域、又は重み付け帯域を試行的に変化させて仮復調復号を行い、所定の規範、例えば誤り率が最小となるフィルタリング帯域又は重み付け帯域を干渉波の存在する周波数帯域として同定する。この場合、希望波の通信を行いながら干渉波の存在する周波数帯域を検出することが可能となる。
【先行技術文献】
【非特許文献】
【０００７】
【非特許文献１】増野淳、杉山隆利、「マルチキャリア重畳伝送による周波数利用効率向上効果」、信学技法、ｖｏｌ．１０８、ｎｏ．１８８、ＲＣＳ２００８−６７、ｐｐ．８５−９０、２００８年８月
【非特許文献２】大槻、増野、杉山、「初期尤度マスクを用いた誤り率に基づく干渉波検出方法」、信学技法、ｖｏｌ．１１１、ｎｏ．１８０、ＲＣＳ２０１１−１１９、ｐｐ．４５−４９、２０１１年８月
【発明の概要】
【発明が解決しようとする課題】
【０００８】
しかしながら、干渉波が存在する周波数帯域（以下、干渉帯域という。）を同定するためには、周波数及び周波数幅を定める複数の設定ごとに、フィルタリング処理や重み付け処理を試行する必要がある。また、干渉帯域を同定する精度を高めるためには、フィルタリング処理や重み付け処理を行う設定数を増やさなければならず、端末装置あたりの演算量が増加して干渉帯域を同定するために要する時間が長くなってしまう。
【０００９】
例えば、図８に示すように、無線通信システムが無線ＬＡＮ基地局９１ｃ及び端末装置９２ｂを具備し、端末装置９２ｂが干渉局９１ｄから干渉を受けている場合について説明する。図８（ａ）が示すように、干渉局９１ｄから干渉を受けている端末装置９２ｂは、無線ＬＡＮ基地局９１ｃが送信する希望波と、干渉局９１ｄが送信する干渉波とが重畳された受信信号を受信する。このとき、端末装置９２ｂは、図８（ｂ）に示すように、複数のフィルタの設定１〜６を用いて仮復調復号を順次行い、設定ごとにＢＥＲ（Bit Error Rate：ビット誤り率）を測定する。端末装置９２ｂは、ＢＥＲが最小となるフィルタの設定において抑圧される周波数帯域（以下、抑圧帯域という。）を干渉帯域として同定する。この場合、端末装置９２ｂは設定２が選択される。なお、干渉帯域の同定精度を高めるためには、フィルタの設定を更に増やす必要がある。
【００１０】
このように、干渉帯域を同定する精度を高めるためには、端末装置における試行回数を増やす必要があり、端末装置における演算量が増加し、干渉帯域の同定に要する時間が長くなってしまうなど、干渉帯域を同定する性能が低下してしまうという問題があった。
【００１１】
本発明は、上記問題を解決すべくなされたもので、その目的は、干渉波の存在する周波数帯域を同定する性能を向上させる無線通信システム、及び無線通信方法を提供することにある。
【課題を解決するための手段】
【００１２】
上記問題を解決するために、本発明の無線通信システムは、複数の端末装置と無線通信を行う基地局装置と、複数の前記端末装置とを具備する無線通信システムであって、前記端末装置における希望波又は干渉波の受信状況に基づいて複数の前記端末装置をグループに分けるグルーピング決定部と、前記グループごとに、前記端末装置が受信した受信信号において信号成分を抑圧する周波数帯域を示すフィルタ設定であって該グループに属する前記端末装置ごとに異なる第１のフィルタ設定を割り当てるフィルタ設定割当部とを具備し、前記端末装置は、少なくとも、自装置に割り当てられた第１のフィルタ設定を用いてフィルタリングを施した受信信号から復号された受信データに基づいて通信品質を測定する品質測定部を備え、前記基地局装置は、少なくとも、前記グループごとに、前記端末装置それぞれにおいて測定された通信品質に基づいて、該グループに属する前記端末装置において用いる第２のフィルタ設定を決定するフィルタ設定決定部を備える。
【００１３】
また、本発明は、上記に記載の無線通信システムにおいて、前記グルーピング決定部は、全ての前記端末装置において同じフィルタ設定を用いてフィルタリングを施した受信信号から復号された受信データに対する通信品質に基づいて、前記端末装置をグループに分けることを特徴とする。
【００１４】
また、本発明は、上記に記載の無線通信システムにおいて、前記端末装置は、自装置の位置を検出する位置検出部を更に備え、前記グルーピング決定部は、近接している前記端末装置を同一のグループにすることを特徴とする。
【００１５】
また、本発明は、上記に記載の無線通信システムにおいて、前記グルーピング決定部は、前記端末装置から所定の送信電力で送信された信号に返信した前記端末装置と、前記信号を送信した端末装置とを同一のグループにすることを特徴とする。
【００１６】
また、上記問題を解決するために、本発明の無線通信方法は、複数の端末装置と無線通信を行う基地局装置と、複数の前記端末装置とを具備する無線通信システムにおける無線通信方法であって、前記端末装置における希望波又は干渉波の受信状況に基づいて複数の前記端末装置をグループに分けるグルーピング決定ステップと、前記グループごとに、前記端末装置が受信した受信信号において信号成分を抑圧する周波数帯域を示すフィルタ設定であって該グループに属する前記端末装置ごとに異なる第１のフィルタ設定を割り当てるフィルタ設定割当ステップと、前記端末装置が、自装置に割り当てられた第１のフィルタ設定を用いてフィルタリングを施した受信信号から復号された受信データに基づいて通信品質を測定する品質測定ステップと、前記グループごとに、前記端末装置それぞれにおいて測定された通信品質に基づいて、該グループに属する前記端末装置において用いる第２のフィルタ設定を決定するフィルタ設定決定ステップとを有する。
【発明の効果】
【００１７】
この発明によれば、干渉帯域を同定する際に、異なる周波数帯域を抑制して通信品質を測定する処理を同一グループに属する端末装置で分担し、並行して行う。これにより、干渉帯域の同定に要する時間を短縮し、速やかに干渉帯域の同定を行うことができ、干渉帯域の同定性能を向上させることができる。また、複数の端末装置に対してグルーピングを行うことにより、干渉波を検出する端末装置数を増加させて干渉帯域の同定精度を高めることができ、干渉帯域の同定性能を向上させることができる。
【図面の簡単な説明】
【００１８】
【図１】本実施形態における基地局装置１０と端末装置２０との構成を示す概略ブロック図である。
【図２】同実施形態における無線通信システムの干渉帯域を同定する処理の概要を示す第１の図である。
【図３】同実施形態における無線通信システムの干渉帯域を同定する処理の概要を示す第２の図である。
【図４】同実施形態における無線通信システムの干渉帯域を同定する処理の概要を示す第３の図である。
【図５】同実施形態における無線通信システムの干渉帯域を同定する処理の概要を示す第４の図である。
【図６】同実施形態における無線通信システムの干渉帯域を同定する処理の概要を示す第５の図である。
【図７】周波数帯域を共用する無線通信システムを組み合わせる一例を示す概念図である。
【図８】干渉帯域を同定する処理の概要を示す図である。
【発明を実施するための形態】
【００１９】
（本発明の概要）
端末装置における干渉波の到来レベル（受信電力）は、干渉波を送信する干渉局と端末装置との間の伝送路により、端末装置ごとに異なる可能性が高い。一方、干渉波の存在する周波数帯域については、隣接する端末装置間でほとんど差異が生じない。そこで、所望波を受信する端末装置において干渉波が存在する周波数帯域（以下、干渉帯域という。）を同定する処理を分担して並行して行うことにより、各端末装置における演算量を削減するなどして、干渉帯域を同定する性能を向上させる。
以下、図面を参照して、本発明の一実施形態における無線通信システム、及び無線通信方法を説明する。
【００２０】
本実施形態における無線通信システムは、基地局装置と少なくとも２つの端末装置とを具備している。
図１は、本実施形態における基地局装置１０と端末装置２０との構成を示す概略ブロック図である。同図に示すように、基地局装置１０は、制御情報受信器１０１、グルーピング決定器１０２、フィルタ変数決定器１０３、制御情報付加器１０４、符号化器１０５、及び変調器１０６を備えている。
【００２１】
制御情報受信器１０１は、端末装置２０が送信する信号を受信し、受信した信号に含まれる制御情報を抽出する。制御情報受信器１０１は、抽出した制御情報にＢＥＲ（Bit Error Rate：ビット誤り率）測定値が含まれる場合に当該制御情報をフィルタ変数決定器１０３に出力する。また、制御情報受信器１０１は、抽出した情報に位置情報が含まれる場合に当該制御情報をグルーピング決定器１０２に出力する。ここで、位置情報は、端末装置２０が存在する位置を示す情報である。
【００２２】
グルーピング決定器１０２は、各端末装置２０から受信した位置情報に基づいて、近接する端末装置２０をグルーピングする。端末装置２０をグルーピングする際には、例えば、所定の点から予め定められた近接距離内に位置する端末装置２０を同一のグループとしたり、端末装置２０間の距離が距離閾値以下である端末装置２０を同一のグループとしたりする。距離閾値は端末装置２０の受信性能などに基づいて予め定める。
また、グルーピング決定器１０２は、各端末装置２０が属するグループを示すグルーピング情報を生成し、生成したグルーピング情報を制御情報として制御情報付加器１０４に出力する。
【００２３】
フィルタ変数決定器１０３は、グルーピング決定器１０２がグループ化した端末装置２０それぞれに、干渉帯域を同定する際に用いるフィルタ設定であって端末装置２０ごとに異なるフィルタ設定を割り当て、当該割り当てを示す試行フィルタ情報を生成する。フィルタ変数決定器１０３は、生成した試行フィルタ情報を制御情報として制御情報付加器１０４に出力する。
また、フィルタ変数決定器１０３は、試行フィルタ情報に対応して各端末装置２０から送信されるＢＥＲ測定値に基づいて、干渉波が存在する周波数帯域を同定し、干渉波を抑圧するフィルタ設定を選択する。フィルタ変数決定器１０３は、選択したフィルタ設定を示すフィルタ情報を制御情報として制御情報付加器１０４に出力する。
ここで、フィルタ設定とは、端末装置２０に備えられているフィルタ２０１において、信号成分が抑圧される周波数帯域を示す情報である。
なお、各端末装置２０から送信されるＢＥＲ測定値の代わりにＢＥＲの量子化値など伝送品質を表す指標を用いてもよい。
【００２４】
制御情報付加器１０４は、フィルタ変数決定器１０３又はグルーピング決定器１０２から入力される制御情報を送信データに付加し、送信データと制御情報とを含む送信情報を符号化器１０５に出力する。
符号化器１０５は、制御情報付加器１０４から入力される送信情報を誤り訂正符号化して得られる符号化ビット列を変調器１０６に出力する。
変調器１０６は、所定の変調方式を用いて、符号化器１０５から入力される符号化ビット列を変調して端末装置２０に送信する。
【００２５】
端末装置２０は、フィルタ２０１、伝送路推定器２０２、スイッチ２０３、復調器２０４、復号器２０５、ＢＥＲ測定器２１１、制御情報抽出器２１２、フィルタ変数決定器２１３、位置検出部２１４、制御情報送信器２１５、及びＤＵＲ算出部２２０を備えている。
ＤＵＲ算出部２２０は、受信信号バッファ２２１、再符号化器２２２、再変調器２２３、外挿補完器２２４、乗算器２２５、電力測定器２２６、減算器２２７、電力測定器２２８、及び除算器２２９を有している。
【００２６】
フィルタ２０１は、受信した受信信号が入力され、入力された受信信号において一部の周波数帯域の信号成分を抑圧し、他の周波数帯域の信号成分を通過させる。フィルタ２０１が通過させる周波数帯域（以下、通過帯域という。）は、フィルタ変数決定器２１３の制御に応じて変化する。また、フィルタ２０１において信号成分が抑圧される周波数帯域を抑圧帯域という。
伝送路推定器２０２は、フィルタ２０１が出力する信号に基づいて、自装置と基地局装置１０との間の伝送路における伝送路係数を推定する。なお、伝送路推定器２０２は公知の技術を用いて伝送路係数を推定する。
スイッチ２０３は、フィルタ変数決定器２１３の制御に応じて、フィルタ２０１が出力する信号と、受信信号とのいずれか一方を選択して出力する。
【００２７】
復調器２０４は、基地局装置１０において用いられる変調方式に対応した復調方式を用いて、スイッチ２０３が出力する信号を復調する。復号器２０５は、基地局装置１０において用いられる誤り訂正符号化に対応した誤り訂正復号を用いて、復調器２０４が復調した信号を復号することにより受信データを復元する。
ＢＥＲ測定器２１１は、基地局装置１０が送信データを送信する際に予め付与しているＣＲＣ符号や既知信号を用いて、受信データに対するＢＥＲを測定する。なお、ＢＥＲ測定器２１１は、ＢＥＲに限らずＰＥＲ（Packet Error Rate）、ＢＬＥＲ（BLock Error Rate）、ＳＥＲ（Symbol Error Rate）など伝送品質を表す指標を測定するようにしてもよい。
【００２８】
制御情報抽出器２１２は、復調器２０４が復元した受信データに含まれる制御情報を抽出し、抽出した制御情報をフィルタ変数決定器２１３に出力する。
フィルタ変数決定器２１３は、制御情報抽出器２１２から入力される制御情報に含まれるフィルタ設定に基づいて、フィルタ２０１を制御する。また、フィルタ変数決定器２１３は、ＢＥＲ測定器２１１が測定したＢＥＲと、当該ＢＥＲを測定した際のフィルタ２０１に対するフィルタ設定とを組み合わせた情報を制御情報として制御情報送信器２１５に出力する。
また、フィルタ変数決定器２１３は、ＤＵＲ算出部２２０が算出するＤＵＲに基づいて、フィルタ２０１を用いるか否かを決定し、決定に応じてスイッチ２０３を制御する。
【００２９】
位置検出部２１４は、予め定められた周期で自装置の位置を検出し、自装置の位置を示す情報と自装置の識別子とを組み合わせた位置情報を制御情報として制御情報送信器２１５に出力する。位置検出部２１４は、例えばＧＰＳ（Global Positioning System：全地球測位システム）を用いて自装置の位置を検出する。
制御情報送信器２１５は、フィルタ変数決定器２１３から入力される制御情報、又は位置検出部２１４から入力される制御情報を基地局装置１０に送信する。
【００３０】
受信信号バッファ２２１は、受信信号を記憶する。
再符号化器２２２は、復号器２０５が復元した受信データに対して、基地局装置１０における誤り訂正符号化と同じ誤り訂正符号化をして得られる符号化ビット列を再変調器２２３に出力する。再変調器２２３は、再符号化器２２２が出力する符号化ビット列を、基地局装置における変調方式と同じ変調方式を用いて変調する。換言すると、再符号化器２２２及び再変調器２２３は受信データに基づいて、基地局装置１０が送信する信号に対応する送信レプリカ信号を生成する。
【００３１】
外挿補完器２２４は、伝送路推定器２０２が出力する伝送路係数に対して、フィルタ２０１における抑圧帯域における伝送路係数を補完する。例えば、外挿補完器２２４は、フィルタ２０１における抑圧帯域の伝送路係数を、通過帯域の伝送路係数を用いた直線補完等により外挿することで、抑圧帯域における伝送路係数を補う。
乗算器２２５は、再変調器２２３が出力する送信レプリカ信号を、外挿補完器２２４が出力する推定伝送路係数により重み付けすることにより、送信レプリカ信号から受信レプリカ信号を算出する。受信レプリカ信号は、干渉波を含まない、基地局装置１０から送信された信号（希望波）のみの受信信号に対応する。
【００３２】
電力測定器２２６は、乗算器２２５が算出した受信レプリカ信号の電力を測定し、測定した電力値を除算器２２９に出力する。
減算器２２７は、受信信号バッファ２２１に記憶されている受信信号を読み出し、読み出した受信信号から受信レプリカ信号を減算し、減算結果を出力する。減算器２２７が出力する減算結果は、受信信号に含まれる希望波が差し引かれた信号、すなわち干渉波に対する信号である。
電力測定器２２８は、通過帯域及び抑圧帯域を示す情報がフィルタ変数決定器２１３から入力され、干渉波に対応する信号が減算器２２７から入力される。電力測定器２２８は、通過周波数帯域における干渉波の電力を測定し、測定した電力値を除算器２２９に出力する。
除算器２２９は、電力測定器２２６が測定した希望波に対する電力値を、電力測定器２２８が測定した干渉波に対応する電力値で除算し、ＤＵＲを算出する。
ＤＵＲ算出部２２０は、以上の構成により、受信し号、伝送路推定器２０２が推定した伝送路係数、受信データ、及びフィルタ２０１の通過帯域を示す情報からＤＵＲを算出する。
【００３３】
以下、本実施形態における無線通信システムの干渉帯域を同定する処理について、図２から図２から図６を用いて説明する。図２から図６は、本実施形態における無線通信システムの干渉帯域を同定する処理の概要を示す図である。
ここでは、図２に示すように、無線通信システムは１つの基地局装置１０と４つの端末装置２０（２０ａ，２０ｂ，２０ｃ，２０ｄ）とを具備し、端末装置２０ｂ、２０ｃ、２０ｄは、隣接するセルの干渉局８０が送信する信号（干渉波）により干渉を受けている場合について説明する。
【００３４】
無線通信システムにおいて干渉帯域を同定する処理が開始されると、基地局装置１０に備えられているグルーピング決定器１０２は、各端末装置２０から送信される位置情報に基づいて、端末装置２０をグルーピングする。このグルーピングは、近隣に位置する端末装置２０を同一のグループに属する端末装置２０する。グルーピング決定器１０２は、図２に示すように、端末装置２０ｂ、２０ｃ、２０ｄを同一のグループに属する端末装置２０としてグループ化（グルーピング）する。
【００３５】
基地局装置１０においてグルーピングが完了すると、図３に示すように、グルーピング情報と試行フィルタ情報と含む制御情報を、グルーピングされた端末装置２０ｂ、２０ｃ、２０ｄに対してマルチキャスト送信し、予め定められた規範（ＢＥＲ）を用いた通信品質の報告を各端末装置２０に要求する。
端末装置２０ｂ、２０ｃ、２０ｄにおいて、フィルタ変数決定器２１３は、受信した制御情報に含まれる試行フィルタ情報が示すフィルタ設定を用いて、フィルタ２０１を制御する。ここで、端末装置２０ｂ、２０ｃ、２０ｄそれぞれに通知される試行フィルタ情報は、異なるフィルタ設定を示す。例えば、図８における設定１〜設定６が、端末装置２０ｂ、２０ｃ、２０ｄに割り当てられる。
【００３６】
端末装置２０ｂ、２０ｃ、２０ｄは、試行フィルタ情報が示すフィルタ設定を用いて、基地局装置１０から送信される希望波に対する復調復号処理を行い、ＢＥＲを測定する。図４に示す例では、フィルタ変数決定器１０３は、同一のグループに属する端末装置２０ｂ、２０ｃ、２０ｄに対して、カットオフ周波数が異なるフィルタ設定（設定１〜設定６）を割り当てる。具体的には、フィルタ変数決定器１０３は、設定１及び設定２を端末装置２０ｂに割り当て、設定３及び設定４を端末装置２０ｃに割り当て、設定５及び設定６を端末装置２０ｄに割り当てる。
端末装置２０ｂにおいて、ＢＥＲ測定器２１１は、割り当てられた設定１をフィルタ２０１に適用した際のＢＥＲと、設定２をフィルタ２０１に適用した際のＢＥＲとを測定する。ここで、試行フィルタ情報が示すフィルタ設定を用いた復調復号を仮復調復号という。また、フィルタ設定は、図４に示しているように、フィルタ２０１をローパスフィルタやハイパスフィルタとして動作させる設定だけでなく、バンドパスフィルタやバンドストップフィルタとして動作させる設定であってもよい。
【００３７】
図５に示すように、端末装置２０ｂ、２０ｃ、２０ｄは、ＢＥＲを測定すると、測定情報を基地局装置１０に送信するフィードバックを行う。ここで、測定情報は、測定したＢＥＲあるいはＢＥＲを量子化した値（量子化値）と、当該ＢＥＲに対応するフィルタ設定とが対応づけられた情報である。
例えば、端末装置２０ｂにおいて、フィルタ変数決定器２１３は、フィルタ２０１のフィルタ設定（設定１）を示す情報と、フィルタ設定（設定１）をフィルタ２０１に適用した際のＢＥＲとを対応づけた測定情報を基地局装置１０に送信する。
【００３８】
基地局装置１０は、グループに属する端末装置２０ｂ、２０ｃ、２０ｄから測定情報を受信すると、受信した測定情報に基づいて、フィルタ変数決定器１０３が干渉帯域を同定する。具体的には、フィルタ変数決定器１０３は、受信した測定情報に含まれるＢＥＲのうち最小のＢＥＲに対応するフィルタ設定を検出し、検出したフィルタ設定において抑圧されている周波数帯域に干渉波が存在すると判定する。また、フィルタ変数決定器１０３は、検出したフィルタ設定を、干渉波を抑圧するフィルタ設定として選択する。図６に示す例では、フィルタ変数決定器２１３は、干渉波を抑圧するフィルタ設定として設定２を選択する。
フィルタ変数決定器１０３は、図６に示すように、選択したフィルタ設定（設定２）を用いて受信処理を行うことを要求する情報を制御情報として制御情報付加器１０４に出力し、同一のグループに属する端末装置２０ｂ、２０ｃ、２０ｄに対してマルチキャスト送信する。なお、フィルタ変数決定器１０３は、試行フィルタ情報（設定１〜設定６）から各端末装置２０に通知するフィルタ設定を選択せずに、同定した干渉帯域に応じて、試行フィルタ情報に含まれるフィルタ設定と別に予め定められたフィルタ設定から選択するようにしてもよい。
【００３９】
端末装置２０ｂ、２０ｃ、２０ｄにおいて、フィルタ変数決定器２１３は、受信した制御情報に含まれるフィルタ設定（設定２）をフィルタ２０１に適用し、基地局装置１０から送信される希望波の受信処理（フィルタリング、復調、及び復号）を行い、受信データを取得する。
また、端末装置２０ｂ、２０ｃ、２０ｄにおいて、ＤＵＲ算出部２２０が算出するＤＵＲが予め定められた切替閾値以上である場合、すなわち希望波の受信電力が干渉波の受信電力に比べ大きい場合、フィルタ変数決定器２１３は、受信信号を選択させる制御をスイッチ２０３に対して行う。これは、希望波の受信電力が干渉波の受信電力に比べ大きい場合、干渉帯域における希望波も用いて受信処理を行う方が受信品質を向上できる可能性が高いためである。なお、切替閾値は、実機を用いた測定やシミュレーションの結果に基づいて定められる。
【００４０】
上述のように、本実施形態における無線通信システムでは、各端末装置２０の位置に依存する希望波又は干渉波の受信状況に基づいて、端末装置２０をグループ化し、当該グループに属する端末装置２０に異なるフィルタ設定を割り当てて受信品質を測定させる。基地局装置１０に備えられているフィルタ変数決定器１０３は、グループごとに、該グループに属する端末装置２０が測定した受信品質に基づいて干渉波の存在する周波数帯域を同定する。更に、基地局装置１０は、同定した干渉帯域の信号成分を抑圧するフィルタ設定を選択し、選択したフィルタ設定をグループに属する端末装置２０にマルチキャスト送信する。
グループごとに、干渉帯域を同定する際の試行フィルタ情報を用いた通信品質の測定を、該グループに属する端末装置２０で分担し、並行して行うことにより、干渉帯域の同定に要する時間を短縮することができる。また、各端末装置２０の位置情報に基づいてグループ化を行うことにより、干渉波を検出する装置数を増加させて干渉帯域の同定精度を向上させることができる。
なお、干渉帯域を同定する精度を高めるために、フィルタ変数決定器１０３は、予め定めた期間におけるＢＥＲの値を平均化し、平均値に基づいて干渉帯域を同定するようにしてもよい。また、グルーピング決定器１０２は、一定間隔ごとにグルーピングを繰り返して行い、干渉帯域の同定を行うようにしてもよい。
【００４１】
また、上述の実施形態においては、シングルキャリア伝送を行う無線通信システムについて説明したが、マルチキャリア送信を行う無線通信システムにおいても同様に各端末装置におけるフィルタ設定を決定することができる。
また、上述の実施形態においては、干渉帯域を判定する際にＢＥＲ測定値を用いる構成について説明したが、これに限ることなく、通信品質を表す指標、例えばＤＵＲ算出部２２０が算出するＤＵＲを用いるようにしてもよい。
また、上述の実施形態においては、１つのグループを形成して干渉帯域を同定する場合を例に説明したが、２つ以上の複数のグループを形成するようにしてもよい。
【００４２】
また、上述の実施形態においては、位置情報に基づいて端末装置２０をグループに分ける構成について説明したが、これに限ることなく、希望波の受信状況に基づいて端末装置２０をグループに分けるようにしてもよい。
例えば、基地局装置１０のフィルタ変数決定器１０３が予め定められた複数のフィルタ設定と、各フィルタ設定を用いて受信処理を行った際のＤＵＲ（又はＢＥＲ）を要求する情報とを含む制御情報を生成し、生成した制御情報を各端末装置２０に送信する。各端末装置２０は、受信したフィルタ設定ごとにＤＵＲ（又はＢＥＲ）を算出し、算出したＤＵＲの算出値（又はＢＥＲの測定値）を含む制御情報を基地局装置１０に返信する。基地局装置１０において、グルーピング決定器１０２は、各端末装置２０のフィルタ設定に応じてＤＵＲ（又はＢＥＲ）が変化する傾向が類似する端末装置２０を同じグループに分けるグルーピングをする。これは、同じフィルタ設定を用いて受信処理を行った際にＤＵＲ（又はＢＥＲ）が得られる複数の端末装置２０は、干渉局から同程度の干渉を受けていると考えることができるので、当該端末装置２０が近接していると見なすことができるためである。このグルーピング手法を用いる場合、端末装置２０は、位置検出部２１４を備えずともよく、位置情報を基地局装置１０に通知する処理を省くことができる。
【００４３】
また、上述の実施形態においては、基地局装置１０に備えられているグルーピング決定器１０２が、各端末装置２０をグループに分ける構成について説明したが、これに限ることなく、端末装置２０が自装置らをグループに分けるようにしてもよい。この場合、干渉帯域の検出を希望する端末装置２０（希望端末装置）がグループ分けの役割を担い、実施する。例えば、端末装置２０間で基地局装置１０を介さずに直接通信を行うアドホック通信をサポートする無線通信システムにおいては、アドホック通信経由で干渉帯域の検出を希望することを通知し、検出に応じる旨の返信を行った端末装置２０をグループとする。すなわち、希望端末装置の近隣に存在し、かつアドホック通信が確立できた端末装置２０をグループとする。これにより、ＧＰＳ等を用いた位置情報に基づくグルーピングや、ＤＵＲに基づいたグルーピングを行わずとも、近接する端末装置２０を一つのグループとして分けることができる。この場合、希望端末装置はグループ化した端末装置２０を示す情報を基地局装置１０に送信し、基地局装置１０は受信した情報に基づいて試行フィルタ情報の割り当て等を行う。
また、希望端末装置は、干渉帯域の検出を希望することを隣接する端末装置２０に通知する際に、予め定められた送信電力以下の電力にて通知する用にしてもよい。これにより、隣接する端末装置２０を限定することができる。
【００４４】
なお、本発明に記載のフィルタ設定割当部は、実施形態におけるフィルタ変数決定器１０３に対応する。本発明に記載の品質測定部は、実施形態におけるＢＥＲ測定器２１１又はＤＵＲ算出部２２０に対応する。
【００４５】
なお、本発明における干渉帯域を同定する機能を実現するためのプログラムをコンピュータ読み取り可能な記録媒体に記録して、この記録媒体に記録されたプログラムを基地局装置１０及び端末装置２０に備えられたコンピュータシステムに読み込ませ、実行することにより干渉帯域を同定するようにしてもよい。なお、ここでいう「コンピュータシステム」とは、ＯＳや周辺機器等のハードウェアを含むものとする。また、「コンピュータシステム」は、ホームページ提供環境（あるいは表示環境）を備えたＷＷＷシステムも含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。更に「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００４６】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。更に、前述した機能をコンピュータシステムにすでに記録されているプログラムとの組み合わせで実現できるもの、いわゆる差分ファイル（差分プログラム）であっても良い。
【符号の説明】
【００４７】
１０…基地局装置
２０，２０ａ，２０ｂ，２０ｃ，２０ｄ…端末装置
９１ａ，９１ｂ，９１ｃ…無線ＬＡＮ基地局
９２ａ，９２ｂ…端末装置
１０１…制御情報受信器
１０２…グルーピング決定器
１０３…フィルタ変数決定器
１０４…制御情報付加器
１０５…符号化器
１０６…変調器
２０１…フィルタ
２０２…伝送路推定器
２０３…スイッチ
２０４…復調器
２０５…復号器
２１１…ＢＥＲ測定器
２１２…制御情報抽出器
２１３…フィルタ変数決定器
２１４…位置検出部
２１５…制御情報送信器
２２０…ＤＵＲ算出部
２２１…受信信号バッファ
２２２…再符号化器
２２３…再変調器
２２４…外挿補完器
２２５…乗算器
２２６，２２８…電力測定器
２２７…減算器
２２９…除算器
【図１】
0005700690.tif 000002
【図２】
0005700690.tif 000003
【図３】
0005700690.tif 000004
【図４】
0005700690.tif 000005
【図５】
0005700690.tif 000006
【図６】
0005700690.tif 000007
【図７】
0005700690.tif 000008
【図８】
0005700690.tif 000009